(57)【要約】【課題】文字盤を本体に貼着することなく表示プレートの溝からの脱落を防止することができる時計型学習教材を提供する。【解決手段】本体１０に形成された円環状の凹部からなるスライド溝１２と、環帯状の円板からなり、スライド溝１２内に、表示位置と非表示位置との間を移動自在に配置された表示プレート２０と、表示プレート２０に突設され、本体１０から突出する表示操作部２２と、表示プレート２０の径方向外側、または径方向内側に向かって突出する係止片２４と、スライド溝１２に係止片２４と係合可能に形成される係合受部１９とを備え、表示操作部２２を操作した際に、係止片２４と係合受部１９とが本体１０の表裏方向に係合しつつ、表示プレート２０がスライド溝１２内を表示位置と非表示位置との間で移動する。【選択図】図１
2011027987.tif 000002
【特許請求の範囲】
【請求項１】
本体の前面に配置され、１周を６０等分した分目盛と、分目盛に重なりつつ、１周を１２等分した時目盛とが刻まれた１２時間表示の文字盤と、文字盤上に配置され、連係しつつ回動する短針、および長針と、これら短針と長針と連係し、これら短針と長針とを所望の時刻位置へ移動操作する針操作部とを備えた時計型学習教材であって、
前記本体に形成された円環状の凹部からなるスライド溝と、
環帯状の円板からなり、該スライド溝内に、表示位置と非表示位置との間を移動自在に配置された表示プレートと、
該表示プレートに突設され、該本体から突出する表示操作部と、
該表示プレートの径方向外側、または径方向内側に向かって突出する係止片と、
該スライド溝に該係止片と係合可能に形成される係合受部とを備え、
該表示操作部を操作した際に、該係止片と該係合受部とが該本体の表裏方向に係合しつつ、該表示プレートが該スライド溝内を表示位置と非表示位置との間で移動することを特徴とする時計型学習教材。
【請求項２】
請求項１に記載の時計型学習教材であって、
前記表示プレートの回転中心と、前記表示操作部とを結ぶ直線と交差する前記表示プレートの部位に、前記係止片が形成されたことを特徴とする時計型学習教材。
【発明の詳細な説明】
【技術分野】
【０００１】
本発明は、小学校の授業等で時計の読み方を学習する際に使用する時計型学習教材に関するものである。
【背景技術】
【０００２】
時計型学習教材は、１２時間表示の所謂アナログ時計を模しており、児童に対して指導者が、短針と長針とを所望する位置に移動させて、短針と長針とが指し示す文字盤の目盛をどのように読取るのか、を指導するために用いられるものである。
【０００３】
この種の時計型学習教材として、特許文献１に示すようなものが知られている。この時計型学習教材は、文字盤の周縁に１周を６０等分した分目盛と、この分目盛に重なりつつ、１周を１２等分した時目盛とが刻まれるとともに、この時目盛の径方向内側に時数字が明記されている。そして、本体の側面に設けられた操作円盤を回転操作することで、操作円盤に連係された短針と長針とを文字盤上で回転させ、所望する時刻を表示させる。
【０００４】
また、文字盤には、時目盛に重なる分目盛、つまり５分単位目盛の外周側縁部に分側窓が設けられている。そして、操作ノブを表示位置に保持した状態では、各分側窓に０、５、１０…、５０、５５と５分単位の分数字が表示される。また、操作ノブを非表示位置に保持した状態では、各分側窓に目盛線が表示される。
【０００５】
このような構成の時計型学習教材は、時計の表示を読取り方を学習する授業の中で使用される。長針と短針とを適宜移動させ、短針が何時を指し示し、長針が何分を指し示しているかを読み取る際に、操作ノブを操作して、各分側窓分数字を出没させて、読取りの補助をする。
【先行技術文献】
【特許文献】
【０００６】
【特許文献１】実用登録３０６７０１２号公報
【発明の概要】
【発明が解決しようとする課題】
【０００７】
ところで、特許文献１に記載の時計型学習教材は、本体に形成された円環状の溝が形成され、この溝に環状円板からなり分数字が印字された表示プレートが配置され、また文字盤は裏面側に塗布された接着剤によって本体に接着され、表示プレートが溝内をスライドしつつ、文字盤によって溝からの脱落を防止し、分数字を分側窓に出没させる構成となっている。
【０００８】
このように、文字盤を本体に接着し、表示プレートの脱落を防止する構成では、接着剤が別途必要となり、製造コストが増大する上に、接着剤の量が必要以上に多ければ、表示プレートも一緒に接着してしまうおそれがあるとともに、接着剤の量が足りなければ、文字盤が表示プレートを押さえきれずに表示プレートが脱落するおそれがあるという問題があった。
【０００９】
本発明は、上記事情を考慮し、文字盤を本体に貼着することなく表示プレートの溝からの脱落を防止することができる時計型学習教材を提供することを目的とする。
【課題を解決するための手段】
【００１０】
請求項１の発明は、本体の前面に配置され、１周を６０等分した分目盛と、分目盛に重なりつつ、１周を１２等分した時目盛とが刻まれた１２時間表示の文字盤と、文字盤上に配置され、連係しつつ回動する短針、および長針と、これら短針と長針と連係し、これら短針と長針とを所望の時刻位置へ移動操作する針操作部とを備えた時計型学習教材であって、前記本体に形成された円環状の凹部からなるスライド溝と、環帯状の円板からなり、該スライド溝内に、表示位置と非表示位置との間を移動自在に配置された表示プレートと、該表示プレートに突設され、該本体から突出する表示操作部と、該表示プレートの径方向外側、または径方向内側に向かって突出する係止片と、該スライド溝に該係止片と係合可能に形成される係合受部とを備え、該表示操作部を操作した際に、該係止片と該係合受部とが本体の表裏方向に係合しつつ、該表示プレートが該スライド溝内を表示位置と非表示位置との間で移動することを特徴としている。
【００１１】
請求項２の発明は、請求項１に記載の時計型学習教材であって、前記表示プレートの回転中心と、前記表示操作部とを結ぶ直線と交差する前記表示プレートの部位に、前記係止片が形成されたことを特徴としている。
【発明の効果】
【００１２】
請求項１の発明によれば、表示プレートの径方向外側、または径方向内側に向かって突出する係止片と、スライド溝に係止片と係合可能に形成される係合受部とが係合することで、表示プレートが本体に移動可能に配設、保持されるので、文字盤を本体に貼着することなく、表示プレートの脱落を防止することができる。
【００１３】
請求項２の発明によれば、表示プレートの回転中心と、表示操作部とを結ぶ直線と交差する表示プレートの部位に、係止片を形成したことにより、表示操作部を操作した際に、表示プレートがスライド溝から脱落する方向に力が加わった場合であっても、表示プレートが撓んで、係止片と係合受部との係合が解除することなく、確実に表示プレートの脱落を防止することができる。
【図面の簡単な説明】
【００１４】
【図１】本発明の一実施形態の時計型学習教材の分解斜視図である。
【図２】本発明の一実施形態の時計型学習教材の正面図で、時側操作部が時側非表示位置に、分側操作部が分側非表示位置に位置した状態を示している。
【図３】本発明の一実施形態の時計型学習教材における係止片と係合受部との係合状態、および時側仮係止構造を示すために文字盤を外した状態の要部拡大図である。
【図４】本発明の一実施形態の時計型学習教材の正面図で、時側操作部が時側表示位置に、分側操作部が分側非表示位置に位置した状態を示している。
【図５】本発明の一実施形態の時計型学習教材の正面図で、時側操作部が時側非表示位置に、分側操作部が分側表示位置に位置した状態を示している。
【図６】本発明の一実施形態の時計型学習教材の正面図で、時側操作部が時側表示位置に、分側操作部が分側表示位置に位置した状態を示している。
【図７】本発明の別態様の時計型学習教材の裏面側を示す斜視図である。
【発明を実施するための形態】
【００１５】
以下、本発明の実施形態を図面を参照して説明する。
【００１６】
本実施形態の時計型学習教材１は、図１に示すように、本体１０と時側回転盤２０と、分側回転盤３０と、文字盤４０と、短針５１と、長針５２と、風防６０とから構成されている。
【００１７】
本体１０には、環状の枠部１１が正面に向かって立設されており、この枠部１１に囲まれた表示凹部１１ａに時側回転盤２０（表示プレート）と、分側回転盤３０と、文字盤４０と、短針５１と、長針５２と、風防６０とが配設されている。つまり、文字盤４０の外周縁に位置する部位に、枠部１１が形成されている。また、本体１０には、側面の右肩部に針操作部８１が配設されている。針操作部８１は、中心を軸支された回転盤からなり、中心部に歯車８１ａが形成されている。本体１０には、この歯車８１ａに噛合する歯車体８２が埋設されている。そして、針操作部８１を操作することで、歯車体８２が噛合しながら回転し、同軸に配設された短針支持部８３と長針支持部８４とを所定の回転割合で回転させる構成となっている。
【００１８】
また、本体１０の正面には、円環状の凹部からなる時側保持溝１２（スライド溝）と分側保持溝１３とが設けられ、時側保持溝１２には時側回転盤２０が、分側保持溝１３には分側回転盤３０がそれぞれ本体１０の正面に沿って回転自在に配設されている。さらに、時側保持溝１２の側壁には、図３に示すように、後述する係止片２４と本体１０の表裏方向に係合可能な係合受部１９が形成されている。
【００１９】
時側回転盤２０は環帯状に形成され、表面には１〜１２の回転盤時数字２３が記載されている。また、時側回転盤２０には、径方向外側に向かって時側腕部２１が延設されている。そして、時側腕部２１の先端には正面に向かって時側操作部２２（表示操作部）が一体に形成され、時側操作部２２は短針５１と同じ色に着色されている。時側操作部２２は、時側回転盤２０を本体１０に装着した状態で、本体側面の左側下方に位置するように時側回転盤２０に配設されている。また、時側回転盤２０の裏面には、図３に示すように、時側回転盤２０を挟んだ反対側から、時側回転盤２０の径方向内側に向かって係止片２４が突設されている。そして、時側操作部２２を操作した際に、係止片２４と係合受部１９とが本体１０の表裏方向に係合しつつ、時側回転盤２０が時側保持溝１２内を時側表示位置と時側非表示位置との間で移動する。
【００２０】
また、本体１０の時側保持溝１２と時側回転盤２０との間には、図３に示すように、時側回転盤２０の外周縁に径方向外側に向かって突設された仮係止突起７１と、仮係止突起７１の基部を板状に残すようにくり抜き、弾力性を具備する仮係止バネ部７１ａと、時側保持溝１２に形成された仮係止受部７２とから構成される仮係止構造７０が配置されている。仮係止受部７２は、時側表示位置と時側非表示位置のそれぞれに対応する時側保持溝１２の部位に形成されており、時側回転盤２０が回動した際に、時側表示位置と時側非表示位置で仮係止突起７１と係合し、仮保持することで、節度感を出している。
【００２１】
分側回転盤３０は環帯状に形成され、表面には０、５、１０…、５０、５５と５分単位の回転盤分数字３３と、幅広の目盛３３ａとが、交互に、且つ等間隔に記載されている。また、分側回転盤３０には、径方向外側に向かって分側腕部３１が延設されている。そして、分側腕部３１の先端には正面に向かって分側操作部３２が一体に形成され、分側操作部３２は長針５２と同じ色に着色されている。分側操作部３２は、分側回転盤３０を本体１０に装着した状態で、本体側面の右側下方に位置するように分側回転盤３０に配設されている。本体１０の分側保持溝１３と分側回転盤３０との間には、時側回転盤２０と同様の仮係止構造（図示せず）が配置され、分側回転盤３０が回動した際に、分側表示位置と分側非表示位置で仮係止突起（図示せず）と係合し、仮保持することで、節度感を出している。また、分側回転盤３０は、後述する文字盤４０を介して、後述する風防６０の縁部６２によって分側保持溝１３に押付けられることにより、分側回転板３０の分側保持溝１３からの脱落を防ぎつつ、分側回転盤３０が分側保持溝１３内を分側表示位置と分側非表示位置との間で移動する。
【００２２】
文字盤４０には、１周を６０等分した分目盛４１と、分目盛４１に重なりつつ、１周を１２等分した時目盛４２と、時目盛４２に対応する位置に１〜１２の時数字４６とが刻まれている。また、文字盤４０には、時目盛４２の文字盤４０径方向内側で隣合う時目盛４２の間に時側窓４３と、時目盛４２が重なる分目盛４１の文字盤４０外周縁側に分側窓４４とが設けられている。各時側窓４３の位置は、文字盤４０に刻まれた時数字４６に重ならないように設定されている。例えば、時数字４６の『１２』と『１』の間の時側窓４３は『１２』に重ならないように僅かに『１』側に寄せてある。文字盤４０が本体１０に組付けられた状態で、これら時側窓４３と分側窓４４を通じて、時側回転盤２０、および分側回転盤３０に記載された時数字、回転盤分数字３３、または目盛３３ａが表示される。文字盤４０には、時目盛４２の文字盤４０径方向内側で短針５１の先端が届く範囲に隣合う時目盛４２の間をつなぐように配置された帯状の表示帯４５を備えており、この表示帯４５内に時側窓４３が配置されている。なお、時目盛４２と分目盛４１は、それぞれ短針５１と長針５２と同じ色で文字盤４０上に刻まれている。また、文字盤４０は、円盤状の部材からなり、外周に突設された位置決片４７を本体１０の枠部１１に形成された位置決受部１８に挿入、係止することで位置が規制され、さらに外周縁４０ａを後述する風防６０の縁部６２によって、本体１０の表示凹部１１ａに押付けられるとともに、中心孔部４０ｂを後述する短針５１、および長針５２で押さえることで、所定の位置、および所定の向きで表示凹部１１ａ上に配設されている。なお、時側回転板２０が係止片２４と係合受部１９との係合によって時側保持溝１２からの脱落が防止され、分側回転板３０が風防６０の押付けによって分側保持溝１３からの脱落が防止されることから、文字盤４０は接着剤等を用いて本体１０に貼着する必要が無い。
【００２３】
短針５１は、文字盤４０上に記載された１〜１２の時数字４６を覆い隠さずに、先端が時数字４６を指し示せる長さに設定されている。長針５２は、時数字４６を覆いつつも分目盛４１を指し示せる長さに設定されている。短針５１と長針５２とは異なる色に設定されており、本実施形態では、短針５１は黒色、長針５２は赤色である。
【００２４】
風防６０は、透明な樹脂材からなり、円盤状の表示部６１の外周縁に縁部６２が立設されている。そして、縁部６２が、本体１０の表示凹部１１ａに隙間無く嵌入されることで、表示凹部１１ａから円盤状の表示部６１が突出することなく埋設される。
【００２５】
本実施形態の時計型学習教材１は、図２、図４〜図６に示されるように、４つの表示パターンを備えている。
【００２６】
時側操作部２２が非表示位置に、分側操作部３２が非表示位置にそれぞれ位置する図２に示される状態では、回転盤時数字２３が非表示位置へ変位し、時側窓４３には無地部分２３ａが表示され、つまり時側窓４３には何も表示されず、分側窓４４には目盛３３ａが表示されている。つまり、文字盤４０には一般的な１２時間表示の時計と同様の表示がされている。
【００２７】
時側操作部２２が表示位置に、分側操作部３２が非表示位置にそれぞれ位置する図４に示される状態では、時側窓４３には時数字が表示され、分側窓４４には目盛３３ａが表示されている。つまり、時側窓４３に時数字が表示されることによって、短針５１は何時台を指し示しているのかの読取り方を学習する際の補助をする。
【００２８】
時側操作部２２が非表示位置に、分側操作部３２が表示位置にそれぞれ位置する図５に示される状態では、時側窓４３には無地部分２３ａが表示され、分側窓４４には５分単位の回転盤分数字３３が表示されている。つまり、分側窓４４に回転盤分数字３３が表示されることによって、長針５２が何分を指し示しているのかの読取り方を学習する際の補助をする。
【００２９】
時側操作部２２が表示位置に、分側操作部３２が表示位置にそれぞれ位置する図６に示される状態では、時側窓４３には時数字が表示され、分側窓４４には５分単位の回転盤分数字３３が表示されている。つまり、時側窓４３に時数字が表示され、分側窓４４に回転盤分数字３３が表示されることによって、短針５１と長針５２とで、何時何分を指し示しているのかの読取り方を学習する際の補助をする。
【００３０】
上記のような構成により、時側回転盤２０の径方向外側、または径方向内側に向かって突出する係止片２４と、時側保持溝１２に係止片２４と係合可能に形成される係合受部１９とが係合することで、時側回転盤２０が本体１０に移動可能に配設、保持されるので、接着剤等を用いて文字盤を本体に貼着することなく文字盤を配設しつつ、時側回転盤２０の脱落を防止することができる。
【００３１】
また、たとえば本体１０側に突起を設け、時側回転盤２０の表面を係止することで時側回転盤２０の脱落を防止するような構成の場合には、時側回転盤２０の表面が本体側の突起によって摩耗してしまい、表面の表示が消えてしまうおそれがあるが、本願発明の構成では、係止片２４と係合受部１９とが係合するので、経時変化によって表面の表示が摩耗して消えてしまうことはない。
【００３２】
時側回転盤２０の回転中心Ｏと、時側操作部２２とを結ぶ直線と交差する時側回転盤２０の部位に、係止片２４を形成したことにより、時側操作部２２を操作した際に、時側回転盤２０が時側保持溝１２から脱落する方向に力が加わった場合であっても、時側回転盤２０が撓んで、係止片２４と係合受部１９との係合が解除することなく、確実に時側回転盤２０の脱落を防止することができる。
【００３３】
なお、本実施形態では、時側回転盤２０の回転中心Ｏと、時側操作部２２とを結ぶ直線と交差する時側回転盤２０の部位に、係止片２４を１つ形成する構成としたが、時側回転盤２０の複数箇所に係止片を突出させ、本体１０の対応する箇所に係合受部を設ける構成も可能であり、上記実施形態と同様の作用効果が得られる。
【００３４】
また、分側窓４４に表示される回転盤分数字３３と、時側窓４３に表示される回転盤時数字２３とを必要に応じて別々に出没させることができるので、授業の際に児童を混乱させることなく、時計の表示の読取り方を的確に指導することができる。
【００３５】
隣合う時目盛４２の間をつなぐように配置された帯状の表示帯４５の中に時側窓４３を配置したことにより、表示された回転盤時数字２３によって、表示帯４５が何時台を示しているのかがより明確になり、時計の表示の読取り方をさらに的確に指導することができる。
【００３６】
長針５２と短針５１とが異なる色に着色されるとともに、長針５２と分側操作部３２とが同じ色に、短針５１と時側操作部２２とが同じ色に、それぞれ着色されているため、分側操作部３２を操作することで出没する回転盤分数字３３が、長針５２の指し示す分目盛４１に関連していることがイメージでき、時側操作部２２を操作することで出没する回転盤時数字２３が、短針の指し示す時目盛４２に関連していることがイメージできるため、時計の表示の読取り方をさらに的確に指導することができる。
【００３７】
分側操作部３２が分表示位置と分非表示位置とで仮保持されるとともに、時側操作部２２が時表示位置と分時表示位置とで仮保持されることで、児童が時計型学習教材１を雑に扱った場合でも表示が切り替わらないため、児童が教材の扱いで散漫になることなく授業に集中することができる。
【００３８】
分側操作部３２と時側操作部２２とが、本体側面下方に左右に分かれて配置されたことで、手の小さい児童でも両手で持った状態で分側操作部３２と時側操作部２２とを操作できるとともに、時計型学習教材１を机の上に裏面を机に面して、寝かせて置いた状態で分側操作部３２と時側操作部２２とを操作できるので、教材の扱いで散漫になることなく授業に集中することができる。
【００３９】
次に、本発明の別態様を図面を参照して説明する。図７は本実施形態の裏面側を示す斜視図である。本実施形態の時計型学習教材１′と前述の時計型学習教材１と大きく異なる点は、時側操作部２２′と分側操作部３２′との配置された位置である。前述の時計型学習教材１と同じ構成については、同一の符号を付し、詳細な説明は省略する。
【００４０】
本実施形態の時計型学習教材１′では、時側操作部２２′と分側操作部３２′とが、本体側面下方の左右ではなく、本体１０の裏面に文字盤４０の中心の下方に上下に配置されている。
【００４１】
本実施形態の本体１０には、上記実施形態と同様に、時側保持溝１２と分側保持溝１３とが形成されている。これら時側保持溝１２と分側保持溝１３には、本体１０の表面と裏面とを貫通する円弧状の時側貫通孔１６′と分側貫通孔１７′が文字盤４０の中心を挟んで同じ高さに形成されている。
【００４２】
時側回転盤２０は、上記実施形態と同様に環帯状に形成されるとともに、表面には１〜１２の回転盤時数字２３が記載されている。また、時側回転盤２０には、腕部を介さずに、環帯状部分の裏面に時側操作部２２′が直接突設されている。そして、時側回転盤２０は時側操作部２２′が時側貫通孔１６′に挿入された状態で、時側保持溝１２に回動自在に配設されている。
【００４３】
また、上記実施形態と同様に時側回転盤２０の裏面には、時側回転盤２０を挟んだ反対側から、時側回転盤２０の径方向内側に向かって係止片２４′が突設されている。そして、時側操作部２２′を操作した際に、係止片２４′と係合受部１９′とが本体１０の表裏方向に係合しつつ、時側回転盤２０が時側保持溝１２内を時側表示位置と時側非表示位置との間で移動する。
【００４４】
分側回転盤３０も、上記実施形態と同様に環帯状に形成されるとともに、表面には５分単位の回転盤分数字３３と幅広の目盛３３ａとが交互に、且つ等間隔に記載されている。また、分側回転盤３０にも、腕部を介さずに、環帯状部分の裏面に分側操作部３２′が直接突設されている。そして、分側回転盤３０も分側操作部３２′が分側貫通孔１７′に挿入された状態で、分側保持溝１３に回動自在に配設されている。
【００４５】
上記本実施形態の構成によって、前述の時計型学習教材１と同様の作用効果を得ることができる。
【符号の説明】
【００４６】
１…時計型学習教材
１０…本体
１２…時側保持溝（スライド溝）
１９…係合受部
２０…時側回転盤（表示プレート）
２２…時側操作部（表示操作部）
２３…回転盤時数字（時数字）
２４…係止片
４０…文字盤
４１…分目盛
４２…時目盛
５１…短針
５２…長針
８１…針操作部
Ｏ…回転中心
【図１】
2011027987.tif 000003
【図２】
2011027987.tif 000004
【図３】
2011027987.tif 000005
【図４】
2011027987.tif 000006
【図５】
2011027987.tif 000007
【図６】
2011027987.tif 000008
【図７】
2011027987.tif 000009